(57)【特許請求の範囲】
【請求項１】
エレベータの出入口の上部に設けられたドアレールと、
前記ドアレールに懸吊され、前記出入口を開閉する片開き式の戸と、
前記出入口の側部に設けられ、前記戸が前記出入口を閉じたときに前記戸が当接する戸当り側枠と、
前記出入口の下部に設けられ、前記戸の開閉方向に沿って上面に設けられた敷居溝を有する敷居と、
前記戸の下部に設けられ、前記敷居の前記敷居溝に嵌まるドアシューと、
前記ドアシューに設けられ、前記戸当り側枠に当接する前記戸の側面よりも前記戸当り側枠の方に突出する戸外れ防止部材と、
前記戸当り側枠の下方に設けられ、前記戸が前記出入口を閉じたときに前記戸外れ防止部材が前記戸当り側枠の下方で収容される収容部と、
を備えたエレベータの戸装置。
【請求項２】
前記戸外れ防止部材は前記ドアシューと一体成形されていることを特徴とする請求項１記載のエレベータの戸装置。
【請求項３】
前記戸外れ防止部材は前記ドアシューに外れ防止部品を取り付けて形成されていることを特徴とする請求項１記載のエレベータの戸装置。
【発明の詳細な説明】
【技術分野】
【０００１】
この発明は、エレベータの戸装置、特に戸にかかる外力で戸が敷居溝から外れることを防止する技術に関するものである。
【背景技術】
【０００２】
従来のエレベータの戸は、出入口の上方に設けられたドアレールに沿って移動するドアハンガーに懸吊されている。また、出入口の下面には敷居溝を設けた敷居が配され、エレベータの戸の下端に設けたドアシューが敷居溝内に入り込んで水平移動するように構成されており、これにより、戸の開閉時にドアシューが敷居溝にガイドされるとともに、戸の下部が戸の開閉方向と垂直な方向に揺動しないようになっている。このようなエレベータの戸は、戸を開閉させる機構により戸を開閉する方向に力が加わるだけであればドアシューが敷居溝にガイドされて戸が開閉し、戸の垂直方向への揺動は生じない。しかし、戸の開閉方向と垂直な方向に大きな外力が加わると戸が撓みドアシューが敷居溝から浮いて離脱してしまう戸外れが生じてしまう可能性があった。【０００３】
従来、このようなエレベータの戸外れを防止するものとして、敷居溝の中に設けられた切欠きに、ドアシューに設けられた係合部が引っかけるように構成したものがあり、これにより、戸に外力が加わっても係合部が敷居溝の切欠きにひっかかって敷居溝からドアシューが外れないようにした戸装置があった（例えば特許文献１参照）。
【先行技術文献】
【特許文献】
【０００４】
【特許文献１】特開２０１０−２４１５５６号公報
【発明の概要】
【発明が解決しようとする課題】
【０００５】
特許文献１の戸装置は、敷居溝の中に係合部を嵌めるための切欠きを加工する必要があるので、加工作業が煩雑であった。【０００６】
本発明は、加工が容易な構造で、戸外れが抑制できる戸装置を提供することを目的としている。
【課題を解決するための手段】
【０００７】
本発明に係るエレベータの戸装置は、片開き式の戸において、戸の下部に設けられ、敷居の敷居溝に嵌まるドアシューに、戸当り側枠に当接する戸の側面よりも戸当り側枠の方に突出する戸外れ防止部材を設け、戸が出入口を閉じたときに戸外れ防止部材を戸当り側枠の下方で収容する収容部を戸当り側枠の下方に設けたものである。
【発明の効果】
【０００８】
本発明のエレベータの戸装置においては、戸が出入口を閉じたときに戸外れ防止部材が戸当り側枠下部の収容部に入り込むので、戸の開閉方向と垂直な方向に外力が加わって戸が撓むことでドアシューが上方に移動しそうになったとしても、戸外れ防止部材が収容部の上部にある戸当り側枠下部に当たってドアシューが上方に移動することが制限されるため、ドアシューが敷居溝から離脱する戸外れが防止される。
【図面の簡単な説明】
【０００９】
【図１】本発明の実施の形態のエレベータの戸装置を昇降路側からみて概略構成を示した正面図
【図２】本発明の実施の形態のエレベータの戸装置の要部拡大図
【図３】図３は図２で示した要部を戸を省いて図１のＡ-Ａ線から下方を見た図
【発明を実施するための形態】
【００１０】
実施の形態１．
以下、本発明の実施形態におけるエレベータの戸装置について図を用いて説明する。
【００１１】
本発明の実施形態１によるエレベータの戸装置はエレベータのかごが止まる各フロアに設置されているものであり、図１は、このエレベータの戸装置１を昇降路側から見て概略構成を示した正面図である。この戸装置１は２枚の片開き式の戸２を有しており、それぞれの戸２の上部には、ハンガーローラ４を備えたドアハンガー３が設けられている。また、この戸装置１で開閉される出入口の上部には、戸２を懸吊するドアレール５が設けられており、このドアレール５に戸２のハンガーローラ４が掛かり、ドアレール５上を転がることで、戸２を図における左右方向に開閉する。図１は片開き式の戸２が閉じた状態を示しており、片開き式の戸２が開く場合は２枚の戸２が重なりながら右に移動していく。
【００１２】
出入口の側部には戸２が出入口を閉じたときに当接する戸当り側枠６が設けられており、また、出入口の戸当り側枠６とは反対側には、戸２を収納する戸袋７が設けられている。
【００１３】
出入口の下部には敷居８が設けられており、この敷居８の上面には戸２の開閉方向に沿って敷居溝８ａが設けられている。そして、それぞれの戸２の下部には、敷居８の敷居溝８ａに嵌まるドアシュー９が２つずつ設けられており、戸２が開閉する際にドアシュー９が敷居溝８ａにガイドされることで、スムーズに戸２が開閉するとともに、戸２の開閉方向と垂直な方向に外力が戸２に加わっても、ドアシュー９が敷居溝８ａに嵌っているので戸２が外力の方向に揺動することがない。
【００１４】
さらに、戸当り側枠６に当たる方の戸２の２つのドアシュー９のうち、戸当り側枠６側のドアシュー９には、戸当り側枠６に最も近い部分に、戸外れ防止部材１０が設けられている。図２は図１の戸装置１の左下部分を拡大して示す要部拡大図、図３は図２で示した要部を戸２を省いて図１のＡ-Ａ線から見た断面図である。図２に示すように、戸外れ防止部材１０は、戸当り側枠６に当接する戸２の側面２ａよりも戸当り側枠６のほうに突出している。この実施の形態１では戸外れ防止部材１０がドアシュー９に一体成形されて設けられている。
【００１５】
そして、戸当り側枠６の下方には、戸２が出入口を閉じたときに戸外れ防止部材１０を収容する収容部１１が設けられている。この収容部１１は、上面を戸当り側枠６の下面６ａで形成され、戸外れ防止部材１０の一部が収容される空間を形成する部分である。本実施の形態では、敷居８が、出入口の下部からさらに戸当り側枠６の下まで延伸されて設けられており、収容部１１はこの敷居８の戸当り側枠６の下に位置する敷居溝８ａと、戸当り側枠６の下面６ａで囲まれて形成されている。なお、収容部１１はこのようなものに限られず、戸当り側枠６の下方で戸外れ防止部材１０を収容する空間を形成するものであればよい。
【００１６】
次に、このように構成された戸装置における戸外れ防止動作について説明する。上述のように、戸２の下部に設けられたドアシュー９が敷居溝８ａに嵌まっているので、戸２が開閉する際にはドアシュー９が敷居溝８ａにガイドされ、スムーズに戸２が開閉するとともに、戸２の開閉方向と垂直な方向に外力が戸２に加わっても、ドアシュー９が敷居溝８ａに嵌っているので戸２が揺動することがない。
【００１７】
ここで、戸２が戸閉状態のときに、フロア側またはかご側から戸２の開閉方向と垂直な方向に、戸２が撓んでしまうほどの大きな外力が加わった場合、戸２が撓むと、ドアシュー９が持ち上がって敷居溝８ａから外れてしまう戸外れが生じてしまう。しかし、上記本実施の形態の構成の戸装置１では、戸２が撓んでしまうほどの大きな外力が戸２に加わってドアシュー９が持ち上がろうとしても、戸外れ防止部材１０が収容部１１に入り込んでいることから戸外れ防止部材１０が戸当り側枠６の下面６ａに当たり、それ以上持ち上がることが抑制される。このためドアシュー９が敷居溝８ａから外れてしまうことがなく、戸２が外れる戸外れが防止される。
【００１８】
本実施の形態の戸装置１は、ドアシュー９を製造するときに端部に戸外れ防止部材１０を設けること、敷居８を戸当り側枠６の下まで延伸設置すること、戸当り側枠６の下に空間を形成する収容部１１を設けることで、複雑な製造工程を必要とせずに得ることができる。
【００１９】
なお、戸外れ防止部材１０はドアシュー９に設けられていればよく、実施の形態１のようにドアシュー９との一体成形により設ける他に、例えば外れ防止部品をドアシュー９に溶接して設ける、あるいは外れ防止部品をネジ止め等の方法で取り付けて設けるようにしてもよい。
【００２０】
また、本実施形態では各フロアに設置される戸装置を示したが、本発明の戸装置はかごに設置しても同様の効果がある。
【符号の説明】
【００２１】
１    戸装置
２    戸
３    ドアハンガー
４    ハンガーローラ
５    ドアレール
６    戸当り側枠
７    戸袋
８    敷居
９    ドアシュー
１０    戸外れ防止部材
１１    収容部
２ａ    側面
６ａ    下面
８ａ    敷居溝
【要約】
本発明に係るエレベータの戸装置は、片開き式の戸の下部に設けられ、敷居の敷居溝に嵌まるドアシューに、戸が当接する戸当り側枠の下方に入り込む戸外れ防止部材を設け、戸が出入口を閉じたときに戸外れ防止部材を収容する収容部を戸当り側枠の下方に設けたものである。戸が出入口を閉じたときに戸外れ防止部材が戸当り側枠下部の収容部に入り込むので、戸の開閉方向と垂直な方向に外力が加わって戸が撓むことでドアシューが上方に移動しそうになったとしても、戸外れ防止部材が収容部の上部にある戸当り側枠下部に当たってドアシューが上方に移動することが制限されるため、ドアシューが敷居溝から離脱する戸外れが防止される。【図１】
0006528925.tif 000002
【図２】
0006528925.tif 000003
【図３】
0006528925.tif 000004